(57)【要約】【課題】異常発生時に近隣に通報可能な音量の緊急通報音声を発生し、かつ近隣から見やすい位置に異常発生を顕著に表示し、異常の発生した場所を特定することにより、近隣住民に特定場所内での異常事態の発生を通報できるようにすることである。【解決手段】個別の近隣住宅Ａに在宅中の携帯者が、押しボタンスイッチで緊急通報を発信可能な無線通信器１と、近隣区域内の特定場所に設置され緊急通報を発信した住宅Ａを特定し発光部で点灯表示し音響を発生する受信器２と、と警報表示部を有する通報表示装置３によって近隣コミュニテイ無線緊急通報システムを構成したのである。【選択図】  図１
2005025592.tif 000002
【特許請求の範囲】
【請求項１】
個別の近隣住宅等に在宅中の携帯者が、押しボタンスイッチで緊急通報を発信可能な無線発信器と、近隣区域内の特定場所に設置され緊急通報を発信した住宅等を特定し発光部で点灯表示し音響を発生する受信器と、警報表示部を有する通報表示装置より成る近隣コミュニテイ無線緊急通報システム。
【請求項２】
前記無線受信器は、個別の住宅等ごとに固有の番号又は名称を登録、変更並びに削除を可能にした制御部を備えた請求項１に記載の近隣コミュニテイ無線緊急通報システム。
【請求項３】
前記無線受信器は、個別住宅等の音声内容として異常発生場所の名称を、登録、変更並びに削除を可能にした制御部を備えた請求項１に記載の近隣コミュニテイ無線緊急通報システム。
【請求項４】
前記無線受信器は、モード選択により同一住宅等内での複数の監視場所の監視が可能になっている請求項１〜３のいずれかに記載の近隣コミュニテイ無線緊急通報システム。
【発明の詳細な説明】
【０００１】
【発明の技術分野】
この発明は、住宅、商店、テナントなどコミュニテイ用近隣緊急通報システム、特に自治会単位や隣組単位程度の近隣に無線で異常を通報できるようにしたシステムに関する。
【０００２】
【従来の技術】
自治会単位や隣組程度の規模での、この種の緊急通報システムとしては、緊急時に緊急通報押しボタンを押せば、近隣に張り巡らされた通報信号通信網により、加入住宅全戸内で非常ベルが吹鳴する仕組みのものが一般的である。かかるシステムでは異常が発生した住宅の特定ができない上、屋外にいる場合は異常の発生に気づかないことも多い。また新たに設置する場合には、通報信号配線の工事が必要になる。
【０００３】
【発明の課題】
そこでこの発明の課題は、異常発生時に近隣に通報可能な音量の緊急通報音声を発生し、かつ近隣から見やすい位置に異常発生を顕著に表示し、異常の発生した場所を特定することにより、近隣住民に特定場所内での異常事態の発生を通報できるようにすることである。
【０００４】
【課題の解決手段】
上記の課題を解決するために、この発明のシステムは、在宅中の携帯者が、異常時に簡単に無線で通報発信できるスイッチ付き無線発信器と受信器及び、通報時に全発光要素を点滅表示する警報表示部及び異常時に音声を音響発生する音響発生部を有する通報表示装置より成り、さらに受信器は異常発生場所を特定するに際し、その場所を表示するための場所コード又は文字を入力する機構、並びに音声音響でその場所を通報するための音声入力機構を有する制御部を備え、近隣住民に特定場所内での異常事態の発生を無線通報することを可能にするシステムである。
【０００５】
前記無線発信器は、通報区域を近隣に限定し異常場所を特定する必要からも、発信場所は２０箇所程度以内とし、電波に関する法的規制を受けない特定小電力無線装置で構成することが望ましい。さらに発信個所の余裕があれば、常時監視が必要な高齢者や介護を必要とする人の居住する場所には、複数個の無線発信器を割り当て、健康面での緊急事態に備えるようにすることが望ましい。この場合には、例えば、受信器に「元気」モードを表示することにより、近隣の人々に安心状態であることを知らせることができる。また、プライバシー保護の面から、無線発信場所の特定表示に、ＩＤコードを割り当てたり、音声音響で場所の名称を使用しないようにすることも可能な構成にすることが好ましい。
【０００６】
無線発信器については、首にかけたり、腕に巻いたりして携行することが望ましいが、家屋などの特定場所に固定することも可能であり、特に寝たきり老人などの場合はベッド脇などに呼出ボタンの形で設置してもよい。また無線発信器携行者が近隣に外出中に発生した異常を通報する手段として、在宅中と外出中の切換スイッチを備える構造にしてもよい。
【０００７】
無線受信器には電源の供給が必要であり、無線受信器が正常に動作中であることを表示するため例えばハートマーク部を常時表示したり、ハートマークの発光表示部の点灯輝点が循環するなどの表示をすることが望ましい。
【０００８】
無線発信・受信器としては、緊急通報発信源を特定する目的から以下の仕様のものが望ましい。即ち小電力型であり、且つ発信器は全方向性であり、通常構造の屋内から発信された無線信号は、１００〜１５０メートルの範囲に設置された無線受信器で受信可能なものが望ましい。無線受信器の受信チャンネルが２０チャンネル程度をカバーするものが望ましい。言いかえれば、半径１５０メートル程度以内の領域に所在する、２０箇所程度の発信場所の中心部に無線受信器を設置する構成が望ましい。
【０００９】
【実施の形態】
以下、この発明の実施形態を添付図面に基づいて説明する。図１は通報用無線発信器と通報表示装置の配置を示す。住宅内Ａに在宅中の無線発信器１携帯者が緊急時に発信した無線信号は受信器２で受信され、屋外に設置された通報表示装置３に表示されると同時に、受信器に内蔵された音響発生部２ｂの音声で近隣に通報される。
【００１０】
図２は通報用無線発信器の一例を示す。重量は１００ｇ程度であり、ハートの部分１が押しボタンスイッチ１ａである。発信器１は軽量であるので、首から吊り下げたり、腰のバンドに取りつける構造にしてもよい。誤動作を防止するため、通常は押しボタンスイッチ１ａの部分はスライド式カバー１ｂで被うことができる構造としている。
【００１１】
図３は、全素子発光型通報表示装置３の一例を示す。ハート部３ａは、装置が正常に動作中であること、及びこの部分だけが点灯表示されていれば、通報表示装置３の領域内に異常事態が発生していないことを表示している。緊急通報が発せられると、高輝度ＬＥＤが埋め込まれたＳ字形点滅発光表示部３ｂが点滅表示される。それと同時に受信器２に内蔵された音響発生部２ｂから「緊急です！」などの音声が連呼発信される。
【００１２】
図４に受信器２の一例を示す。無線発信器１よりの緊急通報が発信された場合、通報表示装置３で発光部を点滅させ受信器２で音響発生と同時に、発生源表示灯２ａを点灯させて発信源が特定される。図４では緊急通報の取消しは、用途ボタン２ｃの取消ボタンを押すことにしたが、高所に設置の場合は、無線取消発信器を使用する構成にしてもよい。
【００１３】
次に、無線発信源を特定するためのＩＤ番号を登録する場合の一例について図５のフローチャートで説明する。ＩＤは予め無線発信器１に割り当てられ内蔵された番号である。この例では発信器１は１６個、従って受信部は１６チャンネルとする。緊急事態発生時の「通常の緊急コール」用と寝たきり老人などの監視を目的にした「室内コール」用の発信器をそれぞれ、奇数と偶数に割り当てる。図４の受信部には１６チャンネルに対応した登録用スイッチ（ＳＷ１〜ＳＷ１６、図示せず）及び確認用ＬＥＤ（図示せず）が内蔵され、無線発信器１のＩＤ番号に対応した１チャンネルから１６チャンネルの登録用スイッチを１秒以内に短時間押して登録モードに切り替える。まずチャンネル１の登録用スイッチＳＷ１を１秒以内押す。するとＬＥＤ１が１秒間隔で点滅し登録モードになったことを表示する。登録する場合はＳＷ１に対応した発信器１の押しボタンスイッチ１ａを押す。発信器１に内蔵されたＩＤコードが自動的に送信される。そしてＬＥＤ１が２秒間点灯する。これで正常に登録されたことが確認される。同様にＳＷ２を押し、チャンネル２に対応した発信器１のＩＤコードを登録することができる。チャンネルの登録をスキップする場合は、登録モードになった時点で、チャンネル登録用スイッチを短く押す。何もしないでおくと、自動的に通常モードに戻る。
【００１４】
以上の登録作業で、奇数チャンネルの緊急コール用発信器１からの信号で緊急通報が出され、偶数チャンネルの室内コール用発信器１からの信号では、緊急通報とは異なる音響で呼出し音を発生する。
【００１５】
ＩＤはチャンネルごとの消去が可能な如く構成する。ＩＤ番号の消去の場合には、図５で、ＳＷ１をしばらく（３秒程度）押す。すると、ＬＥＤ１が高速点滅し、消去モードになったことを示す。図５で「発信器の押しボタンスイッチを押す」代りに、「ＳＷ１をしばらく（３秒程度）押す」ことによりＩＤコード”１”が消去される。消去をスキップする場合は登録の場合と同様に、「ＳＷ１を短押しする」。何もしないでおくと、自動的に通常モードに戻るのは、登録の場合と同様である。
【００１６】
受信器２は室内装置と兼用できる場合の構成を示している。この場合通報表示装置３は住居の玄関など外部から見易い位置に設置する。受信器２の円形の用途ボタン２ｃを押す度に「通常モード」と「元気モード」に切り換り、用途ボタン２ｃ上部の夫々のランプが切り換る。「通常モード」では、発信器１の押ボタンが押されたとき、緊急通報を発生するが、「室内コール」と「緊急コール」の識別を行い、それぞれ異なる警報音、呼出し音を発して、外部に緊急事態の発生を通報表示装置３で通報する。
【００１７】
元気モードの場合、元気ボタン２ｆを押す間隔が、１２時間を超えれば、異常が発生したものとし、警報音を発生する。通報ボタン２ｇを押せば、同じように警報音を発生する。
【００１８】
円形センサボタン２ｄを押すと、「切」「２０」「４０」と切り換って行き、「２０」「４０」に切り換っていれば、緊急通報用センサーが、２０秒或は４０秒動作すれば、警報を発生する。最上部の「センサ」「元気」「通常」の表示ランプ２ｅは、警報発生時に、どのモードの異常であるかを示すものである。
【００１９】
【発明の効果】
この発明によれば、以上のように、近隣コミュニティで緊急事態が発生したときに、発生場所が特定できるため近隣同志の相互扶助により対応ができるばかりでなく、このような相互扶助体制が確立されていることのＰＲにより、犯罪の抑止効果が大きい。
【００２０】
さらに、コミュニティに居住する保護・介護を必要とする高齢者などの不慮事故などを防止するうえでも効果があり、このようなシステムの設置導入により、近隣関係者の相互扶助・思いやりの気風の醸成に効果がある。
【００２１】
【図面の簡単な説明】
【図１】通報用無線発信器と通報受信表示装置の配置を示す概略図である。
【図２】通報用無線発信器の一例を示す斜視図である。
【図３】全素子発光型緊急通報表示装置の一例を示す正面図である。
【図４】緊急通報無線受信器の外観を示す正面図である。
【図５】無線発信器のＩＤコードの登録プロセスを示すフローチャートである。
【符号の説明】
１  無線発信器
１ａ  押しボタンスイッチ
１ｂ  スライド式カバー
２  受信器
２ａ  発生源表示灯
２ｂ  音響発生部
２ｃ  用途ボタン
２ｄ  センサボタン
２ｅ  表示ランプ
２ｆ  元気ボタン
２ｇ  通報ボタン
３  通報表示装置
３ａ  通常状態を表示するハートマーク発光表示部
３ｂ  Ｓ字形点滅発光表示部
Ａ  近隣住宅
【図１】
2005025592.tif 000003
【図２】
2005025592.tif 000004
【図３】
2005025592.tif 000005
【図４】
2005025592.tif 000006
【図５】
2005025592.tif 000007
【手続補正書】
【提出日】平成15年7月7日(2003.7.7)
【手続補正１】
【補正対象書類名】明細書
【補正対象項目名】０００４
【補正方法】変更
【補正の内容】
【０００４】
【課題の解決手段】
上記の課題を解決するために、この発明のシステムは、在宅中の携帯者が、異常時に簡単に無線で通報発信できるスイッチ付き無線発信器、異常時に音声を音響発生する音響発生部を有する受信器、及び通報時に全発光要素を点滅表示する警報表示部を有する通報表示装置より成り、さらに受信器は異常発生場所を特定するに際し、その場所を表示するための場所コード又は文字を入力する機構、並びに音声音響でその場所を通報するための音声入力機構を有する制御部を備え、近隣住民に特定場所内での異常事態の発生を無線通報することを可能にするシステムである。